(57)【要約】【課題】見せたい動画を特定の人に視聴してもらうと共に、以後、更新したい動画を同一ＵＲＬ上に上書きできて、その更新情報が欲しい人に知らせる仕組みと方法を課題とする。【解決手段】非ＳＥＯ対策を施した映像データをインターネットでサーバにアップロードし、ＵＲＬをＱＲコード化し、それを名刺等表示し、それを特定の人に渡し、そしてそれを受け取った人は、ＱＲコード読取機能付きの携帯電話等携帯端末で読み取り、インターネット接続して前記放映データを取り込んで視聴し、その映像データの更新は一度発行した同じＵＲＬに上書可能であり、更新メールが届きその更新映像を視聴できる。【選択図】図１
2011078071.tif 000002
【特許請求の範囲】
【請求項１】
画像と文字と音声とを任意に組み合わせた映像データをインターネット上の検索ロボットにクロールされ難いデータに修正後、インターネット経由でサーバにアップロードし、その格納ＵＲＬを二次元コードのＱＲコードに変換し、それをその映像発信者の名刺、又はハガキ等に直接印刷するか、又は、そのＱＲコードをラベル等に印刷し、それを情報媒体等へ貼り付け、それを特定の人に送付または手渡せば、それを受け取った人は、ＱＲコード読取機能付きの携帯電話等携帯端末で読み取り、その表示したＵＲＬにインターネット接続して前記放映データを取り込んで視聴することができると共に、更にその映像データの更新は一度発行した同じＱＲコードでアクセスするＵＲＬに上書き出来、その上書き更新の通知が当該者へ届く一連のシステムを特徴とした許可した特定の人が映像データを視聴できる簡易な仕組みと方法。
【請求項２】
前述請求項１の映像データとは映像発信者の冠婚葬祭に関する映像データ、ペットに関する映像データ、自己に関する映像データ、会社に関する映像データ、団体に関する映像データ、結婚活動に関する映像データ、就職活動に関する映像データ、学校に関する映像データ、趣味に関する映像データ、家庭に関する映像データ等を特徴とした許可した特定の人が映像データを視聴できる簡易な仕組みと方法。
【発明の詳細な説明】
【技術分野】
【０００１】本発明は、動画、スライドショー等の発信者が、その映像の視聴を許可しようとする特定の人にＱＲコード付き名刺等の情報媒体を渡し、それを受け取った人はそれを元にインターネット経由でアクセスし携帯電話等携帯端末の表示画面でその映像データを視聴させることのできる簡易なシステムの構築方法及び検索エンジンの非ＳＥＯに関するものである。
【背景技術】
【０００２】従来、自分で制作した映像を特定の人に視聴してもらうには、映像データをＤＶＤやビデオテープ等の記憶媒体に記録したソフトを貸し借りして再生するのが一般的であった。しかし、この方法は記憶媒体を直接やり取りし、物理的移動を要する欠点があった。【０００３】一方、インターネットの進歩により動画投稿サイトに投稿した後、そのＵＲＬを特定の人に連絡し、そのＵＲＬにアクセスすれば視聴してもらえるようになっていて、そのＵＲＬさえ分かれば、瞬時にその動画を視聴できる仕組みがあるが、しかし、インターネット検索で予期せぬ第三者が、特定のキーワードで検索することで、場合によっては簡単に偶然に検索表示され、不特定の人に見られる不具合が生じる。【０００４】この改善策として、認証パスワード等のセキュリティに配慮した方法もあるが、動画を視聴するまでの過程が幾重にも渡りその分、面倒であるという問題がある。【０００５】また、動画投稿サイトは一度アップロードした画像の上書きができないため、再度アップロードする場合は、そのＵＲＬが異なるという欠点がある。【０００６】さらに、動画サイト等にアップロードしてある動画データを、携帯電話にダウンロードした場合は、その動画のデータ保存が携帯電話内にできず、数回に渡り視聴しようとすれば、その都度インターネット経由でアクセスする必要があり接続費つまり通信費がかさむという欠点がある。【０００７】また、現在広く利用されているＱＲコードによるアクセス方法は、不特定多数の利用者向けにＱＲコードを印刷して配布したものが主であり、特定の人に配布するのは一般的でなく、この方法の接続先のほとんどはホームページに接続しており、特定の動画専用サイトへは接続していないのが現実であった。【０００８】
【先行技術文献】
【特許文献】
【０００９】
【特許文献１】特開２００９−１１８４４３
【非特許文献】
【００１０】
【非特許文献１】
【発明の概要】
【発明が解決しようとする課題】
【００１１】解決しようとする問題点は、特定の人に、見せたい動画を携帯電話等携帯端末画面で視聴してもらうと共に、その公開している動画に、後日上書き更新した時、タイムリーに更新通知を携帯電話へメール送信するシステムと方法を課題とする。
【課題を解決するための手段】
【００１２】解決しようとする問題点は、公開した動画を携帯電話等携帯端末でアクセスして視聴するため、名刺等の情報媒体にＱＲコードを印刷し、そのコードからアクセスすることと、インターネットをクロールしている検索エンジンに察知されにくい対策とを組み合わせた手法、及び方法の手順を簡素化したサービスを利用できることである。また、情報発信者が許可した特定の人にアクセス権を委ねる方法を単純化かつ効率よく、しかも、確実性を持たす点である。【００１３】本発明は、前述の課題を解決するため、アップロードした動画サイトのＵＲＬとＱＲコードとを紐付けると共に、検索エンジンに非ＳＥＯ対策を講ずる手法と、その同一ＵＲＬ上で、動画サイトを上書き更新できることを最も主要な特徴とした。【００１４】一般的に検索エンジン対策と言えば、ＳＥＯ＝Ｓｅａｒｃｈ  Ｅｎｇｉｎｅ  Ｏｐｔｉｍｉｚａｔｉｏｎ（サーチエンジン最適化）対策で上位表示さす手法がほとんどであるが、ここで言う非ＳＥＯ対策とは、そのまったく逆のことを目的とする対策である。つまり、検索エンジンでキーワード検索表示され難い対策のＨＴＭＬ記述を講じる。【００１５】ＱＲコードで動画を閲覧した人には、動画終了後に、「今後動画の更新通知を受け取りますか」という質問で、受け取希望の人には携帯電話のメールアドレスを登録してもらい、そこに、自動的に更新情報が発信できる。
【発明の効果】
【００１６】本発明においてはサーバ上にアップロードしたファイルを、検索エンジンがクロールしにくくしているため、不特定の人が特定のキーワード検索でそのＵＲＬを探し当てアクセス、視聴されにくい利点がある半面、視聴する人は、一回の操作で簡単にアクセスできる利点がある。【００１７】動画投稿サイトでは一度公開した動画と同ＵＲＬ上に上書きができないが、本システムでは、同じＵＲＬの上に上書き更新できる利点がある。【００１８】動画が更新されたか否かをその都度問い合わせる手間暇を省くため、更新通知メール送信設定をしておけば、更新作業終了後に事前登録した更新通知受信希望者に更新通知が送信される。【００１９】更新通知受信希望者は、更新通知を受けたなら、既に受け取っている名刺等のＱＲコードを読むかあるいは、更新通知メールに記載のＵＲＬにアクセスするか、事前にブックマークまたはお気に入りに登録してあるＵＲＬにアクセスすれば最新アップロード動画を視聴できる。
【図面の簡単な説明】
【００２０】
【図１】本発明の許可した特定の人が映像データを視聴できる実施形態に関する全体の構成図である。
【図２】本発明の映像データアップロードまでのフローチャートである。
【図３】本発明の映像データダウンロードのフローチャートである。
【図４】本発明の更新通知を送信するフローチャートである。
【発明を実施するための形態】
【００２１】以下、本発明を最良の実施の形態について図面を参照して説明する。
尚、映像データのアップロードはパソコンまたは携帯電話からサーバにアップロードできるが、この実施例では、パソコンからサーバにアップロードする実施例で説明し、携帯電話からのデータアップロードは割愛する。
【実施例１】
【００２２】図１は、本実施形態による許可した特定の人が映像データを視聴できる簡易な仕組みと方法の概略構成を示している。【００２３】  まず、構成から説明すると、映像データを制作編集したり、サーバ（３）にアップロードしたりするパソコン（１）と、インターネット（２）とサーバ（３）とＱＲコード（４１）を印刷した名刺（４）とＱＲコード読み取り機能付き（５２）携帯電話（５）から成るシステムである。【００２４】このサーバ（３）は、インターネット（２）などの通信ネットワークを介して映像を視聴する携帯通信端末としての携帯電話（５）とデータをアップロードするパソコン（１）と接続している。【００２５】この携帯電話（５）には、名刺（４）に印刷されたＱＲコード（４１）の読み取り手段としてのＣＣＤ（Ｃｈａｒｇｅ  Ｃｏｕｐｌｅｄ  Ｄｅｖｉｃｅ）カメラ（図示せず）が内蔵されている。このＱＲコード（４１）は、文字や数字などの情報が二次元の図形パターンとして紙面に印刷されたもので、種々の規格があるが、現在ではＱＲコードが広く普及している。また、この携帯電話には、ＣＣＤカメラで撮影されたＱＲコードの画像を解析して、そのＱＲコードに記載された情報を取り出す解析ソフトウェアが組み込まれている。さらに、携帯電話は、携帯電話通信システム（６）を介して通信ネットワークに接続されている。【００２６】この携帯電話通信システム（６）とは、アンテナや基地局と同様に携帯電話事業者毎に設置される接続サーバによって構成されている。
サーバ（３）および携帯電話通信システム（６）の構成等については既知の技術の為、説明を割愛する。【００２７】  続いて、図２の本システムのパソコンからサーバにアップロードするまでの処理のフローチャートとシステム構成図１を参照しながら説明をする。
尚、基本データ情報ＩＤ、パスワード登録等の設定登録詳細は割愛する。【００２８】ここで、ＱＲコード（４１）に記録される情報は、サーバ（３）にアップロードし格納した場所のＵＲＬ情報が含まれている。【００２９】図２のフローチャートのように、先ずパソコンで映像データを編集し（ステップ１）。
放映データ編集では、原稿となる画像および説明文、コメント、特記事項等を集め、最適な放映時間内に収まるように編集する【００３０】サーバへアップロードするファイル形式にデータを変換する（ステップ２）。
編集したデータを携帯電話で視聴できるファイル形式に変換する。【００３１】サーバにアップロードする前に非ＳＥＯ対策を講ずる（ステップ３）。
非ＳＥＯ対策とは、検索順位に反映させないようなＨＴＭＬ記述で特殊な対策を施し、サーバにアップロードすれば、検索ロボットが巡回してきても、このサイトを検索表示し難いような対策を講ずる。【００３２】データをサーバにアップロードする場所、ファイル名を決めると同時にＵＲＬを決める（ステップ４）。
そのＵＲＬへデータをアップロードする（ステップ５）。
ＵＲＬをＱＲコードに変換するソフトを使いＱＲコードへ変換する（ステップ６）。
変換したＱＲコードの画像を取り込む（ステップ７）。【００３３】取り込んだＱＲコードをはめ込んで新規の名刺を作るか、今、持っている名刺にＱＲコードを張り付けるか判断する（ステップ８）。
名刺を新規作成する場合は、その名刺に（ステップ７）で取り込んだＱＲコードも印刷する（ステップ１１）。
新規に名刺を印刷しない場合は、既存の名刺にＱＲコードを印刷したラベル作る（ステップ９）。【００３４】ラベル印刷したＱＲコードを名刺に張り付ける（ステップ１０）。
ＱＲコードの入った名刺を手渡して（ステップ１２）終わり。【００３５】尚、（ステップ１０）（ステップ１１）で使用する名刺の他に、はがき、ニュースレター、案内状、お礼状、挨拶状、更には履歴書等にＱＲコードを印刷または印刷したＱＲコードラベルを張り付けて（ステップ１２）に進んでもよい。【００３６】次に、本発明の内、ＱＲコードを受け取った人が携帯電話で動画を視聴するまでのフローチャート図３を参照しながら説明をする。【００３７】図３に示すようにＱＲコード入りの名刺を受取った人（ステップ２０）は、ＱＲコード読み取り機能付き携帯電話を起動し（ステップ２１）、携帯電話（５）のＣＣＤカメラでＱＲコードを撮影し、ＱＲコードのコード解析をおこなわせる（ステップ２２）。
携帯電話のＱＲコード読取用アプリケーションを起動し、接写モードで垂直になるよう撮影する。【００３８】すると、ＱＲコードの中からサーバ３のＵＲＬ情報が抽出され、携帯電話のモニタ画面にそのＵＲＬが反転表示され、その部分をクリックすると、サーバに接続の許可を求める表示となり、接続が許可されるとインターネットを経由してサーバ３にアクセスされる（ステップ２３）【００３９】そして、このような携帯電話１からのアクセスを受けたサーバ３は映像データを表示する（ステップ２５）【００４０】映像受信（ステップ２６）
映像視聴終了後、更新通知を受け取るか否かの選択を求める。（ステップ２７）
更新情報通知が不要になった人はメールを受け取った時、通信文に紐付けされている「今後、更新通知を受けない」をクリック送信すれば、その旨、管理者に通知が行き、管理者は確認してメールアドレスを削除し、次回以降の更新通知は届かない。【００４１】受信希望であればメールアドレス登録フォームより入力（ステップ２８）
更新通知用メールアドレスファイルへ格納（ステップ２９）して終わり。【００４２】更新上書き完了から更新通知メール送信までの流れフローチャートを見ながら説明する。【００４３】映像データ更新開始（ステップ３０）
映像データ更新完了（ステップ３１）
完了通知をフォームで送信（ステップ３２）
更新完了データ受信（ステップ３３）
メールアドレス一斉呼び出し（ステップ３４）【００４４】送信文選択（ステップ３５）
一斉呼び出しのメールアドレスへ順次メール送信開始（ステップ３６）
メール送信完了（ステップ３７）
不達メールリスト作成（ステップ３８）
不達メールリスト作成送信（ステップ３９）
不達メールアドレス削除選択（ステップ４０）
登録メールアドレス一覧より削除（ステップ４１）【００４５】
【産業上の利用可能性】
【００４６】以上通り、前述の実施例を踏まえ、請求項２に記載のようにこのシステムは、冠婚葬祭に関する動画配信、ペットに関する動画配信、自己に関する動画配信、会社に関する動画配信、団体に関する動画配信、結婚活動に関する動画配信、就職活動に関する動画配信、学校に関する動画配信、趣味に関する動画配信、子供の成長に関する動画配信、家庭に関する動画配信等に利用できる。【００４７】例えば、人生のビッグイベントの婚約発表から結婚式、新婚旅行、新居、ベビー誕生等のライフサイクルの近況を動画で適宜更新公開して知らせる利用方法がある。【００４８】また、子供誕生からその子の成長過程を適宜更新公開できる。
さらには、告別式等に参列した時、会葬御礼に礼状が付いているが、その礼状にＱＲコードを載せ故人の生前の写真等をスライドショーで配信する利用方法がある。【００４９】又、動画上書き更新システムを応用して日記形式の動画ブログを特定の人に視聴してもらえる。
履歴書にＱＲコードを貼り付け、自分のＰＲしたい特技、趣味、技術等を動画でＰＲすることも可能である。【００５０】また、人のライフサイクルとほぼ同様にその対象をペットに置き換えて利用できる。【００５１】又、植物の生育状況経過報告を動画で情報提供する方法、
あるいは、建築物等の工事進行状況等を動画で報告する利用法にも応用できる。【００５２】
【符号の説明】
【００５３】Ｓ    フローチャートのステップ番号
１    パソコン（パーソナルコンピュータ）
２    通信ネットワーク（インターネット）
３    サーバ
３１  データベース
４    名刺
４１  ＱＲコード
５    携帯電話
５１  表示画面
５２  ＱＲコード読み取り機能内蔵
６    携帯電話通信システム
【図１】
2011078071.tif 000003
【図２】
2011078071.tif 000004
【図３】
2011078071.tif 000005
【図４】
2011078071.tif 000006